(57)【特許請求の範囲】
【請求項１】
無線装置（４０２、６０２）とネットワークノード（４００、５００、６００）との間の無線通信における無線ネットワークの性能評価を支援するために、前記無線ネットワークの前記ネットワークノードによって実行される方法であって、前記ネットワークノードは、対応する複数のセルの中で使用される複数のキャリアを有するキャリアアグリゲーションを採用し、前記方法は：
前記無線通信における無線リソースの利用に関する統計的な情報であって、前記無線通信における特定のセルの中の無線リソースのセカンダリセル使用を示す前記統計的な情報を回収すること（３００）、及び
前記無線ネットワークをサービングする運用及び保守（Ｏ＆Ｍ）ノード（４０４、６０４、８００）に前記統計的な情報を報告すること（３０２）を含み、
前記統計的な情報は：
利用可能な無線リソースの全ての量からＳセルトラフィックに対して利用される無線リソースの量、
利用可能な無線リソースの全ての量からＰセルトラフィックに対して利用される無線リソースの量、
利用可能な無線リソースの全ての量に関するＳセルトラフィックに対して利用される無線リソースのパーセンテージ、及び
Ｓセルトラフィックに対して利用される無線リソースの量と、Ｐセルトラフィックに対して利用される無線リソースの量との間の比率
のうちの少なくとも１つを示す、方法。
【請求項２】
前記統計的な情報は、種々のクオリティ・オブ・サービス・クラスに対する無線リソースの前記利用を個別に表示する、請求項１に記載の方法。
【請求項３】
アップリンク通信及びダウンリンク通信に対する前記統計的な情報を個別に回収することをさらに含む、請求項１又は２に記載の方法。
【請求項４】
前記統計的な情報は、前記ネットワークノードに関連するスケジューリングエンティティーから回収される、請求項１から３のいずれか一項に記載の方法。
【請求項５】
長い期間にわたってＳセルトラフィックに対して利用される無線リソースの量又はパーセンテージの、平均値、中央値、最大値、最小値、及び標準偏差のうちの少なくとも１つを決定することによって、長い期間にわたる統計的な情報をアグリゲートすることをさらに含む、請求項１から４のいずれか一項に記載の方法。
【請求項６】
前記ネットワークノードは、基地局である、請求項１から５のいずれか一項に記載の方法。
【請求項７】
プロセッサ上で実行された場合に、請求項１から６のいずれか一項に記載の方法の全ステップを前記プロセッサが実行するよう構成されたコード部を含む、コンピュータ可読媒体。
【請求項８】
無線ネットワークのネットワークノード（６００）であって、前記ネットワークノードは、対応する複数のセルの中で使用される複数のキャリアを有するキャリアアグリゲーションを採用する場合に、無線装置（６０２）と前記ネットワークノードとの間の無線通信における前記無線ネットワークの性能評価を支援するために配置され、前記ネットワークノードは：
前記無線通信における無線リソースの利用に関する統計的な情報であって、前記無線通信における特定のセルの中の無線リソースのセカンダリセル使用を示す統計的な情報を回収するように構成される処理ユニット（６００ｂ）、及び
前記無線ネットワークをサービングする運用及び保守（Ｏ＆Ｍ）ノード（６０４）に前記統計的な情報を報告するように構成される通信回路（６００ｅ）を備え、
前記統計的な情報は：
利用可能な無線リソースの全ての量からＳセルトラフィックに対して利用される無線リソースの量、
利用可能な無線リソースの全ての量からＰセルトラフィックに対して利用される無線リソースの量、
利用可能な無線リソースの全ての量に関するＳセルトラフィックに対して利用される無線リソースのパーセンテージ、及び
Ｓセルトラフィックに対して利用される無線リソースの量と、Ｐセルトラフィックに対して利用される無線リソースの量との間の比率
のうちの少なくとも１つを示す、ネットワークノード（６００）。
【請求項９】
前記統計的な情報は、種々のクオリティ・オブ・サービス・クラスに対する無線リソースの前記利用を個別に表示する、請求項８に記載のネットワークノード（６００）。
【請求項１０】
前記処理ユニット（６００ｂ）は、アップリンク通信及びダウンリンク通信に対する前記統計的な情報を個別に回収するように構成される、請求項８又は９に記載のネットワークノード（６００）。
【請求項１１】
前記処理ユニット（６００ｂ）は、前記ネットワークノードに関連するスケジューリングエンティティー（６００ｇ）から、前記統計的な情報を回収するように構成される、請求項８から１０のいずれか一項に記載のネットワークノード（６００）。
【請求項１２】
前記処理ユニット（６００ｂ）は、長い期間にわたってＳセルトラフィックに対して利用される無線リソースの量又はパーセンテージの、平均値、中央値、最大値、最小値、及び標準偏差のうちの少なくとも１つを決定することによって、長い期間にわたる統計的な情報をアグリゲートするように構成される、請求項８から１１のいずれか一項に記載のネットワークノード（６００）。
【請求項１３】
前記ネットワークノードは、基地局である、請求項８から１２のいずれか一項に記載のネットワークノード（６００）。
【請求項１４】
無線装置（４０２、６０２）と無線ネットワーク（８０２）のネットワークノード（４００、６００、８０２ａ）との間の無線通信における前記無線ネットワークの性能を評価するために、前記無線ネットワークをサービングする運用及び保守（Ｏ＆Ｍ）ノード（４０４、６０４、８００）によって実行される方法であって、前記ネットワークノードは、対応する複数のセルの中で使用される複数のキャリアを有するキャリアアグリゲーションを採用し、前記方法は：
前記無線ネットワークの測定された性能を取得すること（７００）、
前記無線通信における無線リソースの利用に関する統計的な情報を前記ネットワークノードから受信すること（７０２）であって、前記統計的な情報は、前記無線通信における特定のセルの中の無線リソースのセカンダリセル使用を表示する、受信すること、
前記無線ネットワークの前記測定された性能がどのようにセカンダリセル使用に関連するかを評価するために、前記統計的な情報を使用すること（７０４）、及び
前記評価に基づいて前記ネットワークノードに対して無線リソース（ＲＲ）を構成すること（７０６）を含み、
前記統計的な情報は：
利用可能な無線リソースの全ての量からＳセルトラフィックに対して利用される無線リソースの量、
利用可能な無線リソースの全ての量からＰセルトラフィックに対して利用される無線リソースの量、
利用可能な無線リソースの全ての量に関するＳセルトラフィックに対して利用される無線リソースのパーセンテージ、及び
Ｓセルトラフィックに対して利用される無線リソースの量と、Ｐセルトラフィックに対して利用される無線リソースの量との間の比率
のうちの少なくとも１つを示す、方法。
【請求項１５】
無線ネットワーク（８０２）をサービングするために、かつ無線装置（４０２、６０２）と前記無線ネットワークのネットワークノード（４００、６００、８０２ａ）との間の無線通信における前記無線ネットワークの性能を評価するために、配置される運用及び保守（Ｏ＆Ｍ）ノード（８００）であって、前記ネットワークノードは、対応する複数のセルの中で使用される複数のキャリアを有するキャリアアグリゲーションを採用し、前記Ｏ＆Ｍノードは：
前記無線ネットワークの測定された性能を取得するように配置される取得ユニット（８００ａ）、
前記無線通信における無線リソースの利用に関する統計的な情報を前記ネットワークノードから受信するように配置される通信回路（８００ｂ）であって、前記統計的な情報は、前記無線通信における特定のセルの中の無線リソースのセカンダリセル使用を表示する、通信回路、
前記無線ネットワークの前記測定された性能がどのようにセカンダリセル使用に関連するかを評価するために、前記統計的な情報を使用するように配置される論理回路（８００ｃ）、及び
前記評価に基づいて前記ネットワークノードに対して無線リソースを構成するように配置される構成ユニット（８００ｄ）を備え、
前記統計的な情報は：
利用可能な無線リソースの全ての量からＳセルトラフィックに対して利用される無線リソースの量、
利用可能な無線リソースの全ての量からＰセルトラフィックに対して利用される無線リソースの量、
利用可能な無線リソースの全ての量に関するＳセルトラフィックに対して利用される無線リソースのパーセンテージ、及び
Ｓセルトラフィックに対して利用される無線リソースの量と、Ｐセルトラフィックに対して利用される無線リソースの量との間の比率
のうちの少なくとも１つを示す、運用及び保守（Ｏ＆Ｍ）ノード。
【発明の詳細な説明】
【技術分野】
【０００１】
本開示は、概して、無線ネットワークのネットワークノード、及び運用及び保守、Ｏ＆Ｍ、ノード、並びに無線装置とネットワークノードとの間の無線通信における無線ネットワークの性能評価のための方法に関する。
【背景技術】
【０００２】
近年、種々の領域における様々な無線装置のための無線通信を提供するために、種々のタイプの無線ネットワークが開発されてきた。無線ネットワークは、スマートフォン及びタブレットなどのサービス及び次第に進化した装置を使用する受信契約者からの需要に応えるために、より優れた容量、品質、及び受信範囲を提供するために、コンスタントに改良されており、それらはしばしばネットワークにおけるデータ輸送のための多くの周波数帯域及びリソースを必要とする。それ故、無線ネットワークの中のネットワークノードと、無線リンクを介してネットワークノードと通信する及び様々な無線装置との間の無線通信において、例えば、高データスループット、欠落した又は失われたデータの低レイテンシ及び低レートに関して、優れた性能を獲得することは、しばしば、困難である。
【０００３】
そのような無線通信の性能を改良するために、様々な無線リソースが、無線通信をより効率的にするやり方で、無線装置に対して構成され得る。例えば、ロングタームエボリューション、ＬＴＥ、に従って作動するネットワークにおいて、キャリアアグリゲーション、ＣＡ、として知られるフィーチャは、第３世代パートナーシッププロジェクト、３ＧＰＰ、によって定義され、ここで、複数のキャリアは、主としてデータのスループットを増加させるために、無線装置との無線通信において同時に使用される。
【０００４】
無線通信の分野において、「無線装置」という用語は、一般的に使用され、かつ本開示の中で、サービングネットワークノードから送信されたダウンリンク信号の受信、かつネットワークノードへのアップリンク信号の送信を含む無線通信をすることができる任意のターミナル又は装置を表すために使用される。本開示を通して、無線装置は、例えば、ユーザ装置、ＵＥに交換されることができ、ＵＥは、本分野における別の一般的な用語である。
【０００５】
さらに、用語「ネットワークノード」はまた、基地局、無線ノード、ｅ‐ノードＢ、ｅＮＢなどとして一般的に言及され、それはアップリンク及びダウンリンク無線信号を無線装置と通信することができる無線ネットワークの中の任意の無線アクセスノードを表す。無線ネットワークはまた、無線通信のためのセルラーネットワークとして言及される。本開示において説明されるネットワークノードは、非限定的に、いくつかの慣習的な実施例を挙げるために、ミクロ、ピコ、フェムト、ワイファイ、又はリレーノードなどのマクロノード又は低電力ノードを備え得る。本開示を介して、ネットワークノードは、例えば、基地局に交換されることができる。
【０００６】
無線ネットワークは、典型的には、様々なエンティティー及びノードを含み得る、運用及び保守、Ｏ＆Ｍ、として言及されるネットワーク管理システムによってサポートされかつ制御される。そのようなネットワーク管理システムのための典型的なアーキテクチャの単純化された実施例は、図１の中において概略的に示される。この図において、Ｏ＆Ｍ層は、無線装置との無線通信において無線ネットワークがどのように作動するかを観察し、かつまた、無線ネットワークが十分に高い性能を伴って作動するように構成する、Ｏ＆Ｍノードを含む破線のボックスによって示される。Ｏ＆Ｍ層は、複数のドメインマネージャー１００Ａ、１００Ｂ、…を含み得、それらの各々は特定のドメインの基地局１０４の１組と接続され、かつそれと通信している。
【０００７】
この実施例において、３つの基地局１０４又はネットワークノードだけが、単純化のために、ドメインマネージャー１００Ａに接続されるように示されるが、かなり多くの数のネットワークノードは、実際には、各々のドメインマネージャーに接続され得る。ドメインマネージャー１００Ａ、１００Ｂは、今度は、無線ネットワークの評価、作動、及び構成を基本的に調整する中央ネットワークマネージャー１０２に接続され、それは本分野においてよく知られている。ネットワークノード１０４は、性能測定を実行し得、かつ測定結果についての情報をそのそれぞれのドメインマネージャーに報告し得、今度はそれが、例えば報告された測定値に基づいて性能を改良するために、ネットワークノードがどのように構成され、又は再構成されるべきかを決定する。実施例は、ネットワークノードが、それらの報告された性能情報に応じてキャリアアグリゲーションを適用するように構成する。
【０００８】
無線ネットワークにおける性能を改良又は維持するために、性能の測定値は、例えば、無線ネットワークの中で生じる性能の任意の変化を検出し、かつ解析するために、多かれ少なかれ連続的なベースにおいて無線ネットワークから得られる。そのような測定値は、基地局及び／又はネットワークの中の他のノードから得られ得、かつ提供され得る。上述したように、例えば、適切かつ効果的な時はいつでも、複数のキャリアの中に無線リソースを有するＣＡを採用することによって獲得され得る、十分高いレベルにおいて性能が維持されることは、大変重要である。
【０００９】
しかしながら、リソース構成それ自身は別にして、多くの要因が同時に獲得された性能に影響を与え得るので、ＣＡが適用される場合、ネットワーク性能に対して無線リソースの特定の構成が実際にどのくらい効率的であり役に立つかを知ることは、しばしば困難である。それ故、測定されたさもなければ検出された性能の改良が適用されたＣＡリソース構成の結果なのか否か、又はＣＡリソース構成がどのようにして性能に影響をもたらしたのかなどを決定することは、不可能であろう。それ故、無線装置とネットワークノードとの間の無線通信におけるＣＡリソース構成の利用の観点において、性能の有用でかつ信頼できる評価を行うことは、１つの課題である。
【発明の概要】
【００１０】
上述した問題や課題のうちの少なくともいくつかを処理することは、本明細書の中において説明される実施形態の目的となる。添付の独立請求項の中において定義されるように、ネットワークノード及びＯ＆Ｍノード、並びにそこにある方法を使用してこの目的及び他の目的を達成することは可能である。
【００１１】
一側面にしたがって、無線装置とネットワークノードとの間の無線通信における無線ネットワークの性能評価を支援するための方法が、無線ネットワークのネットワークノードの中に提供される。ネットワークノードは、無線装置のうちの少なくともいくつかをサービングする場合に、対応する複数のセルの中で使用される複数のキャリアを有するキャリアアグリゲーションを採用する。この方法において、ネットワークノードは、無線通信における無線リソースの利用に関する統計的な情報を回収し、ここで、統計的な情報は、無線通信における特定のセルの中の無線リソースのセカンダリセル使用を表示する。ネットワークノードはさらに、統計的な情報を無線ネットワークをサービングするＯ＆Ｍノードに報告する。それによって、Ｏ＆Ｍノードは、無線ネットワークの測定された性能がどのようにセカンダリセル使用に関連するかを評価するために、統計的な情報を使用することが可能になる。Ｏ＆Ｍノードはさらに、この評価に基づいてネットワークノードに対して無線リソースを構成し得る。
【００１２】
別の側面にしたがって、無線ネットワークのネットワークノードは、対応する複数のセルの中で使用される複数のキャリアを有するキャリアアグリゲーションを採用する場合に、無線装置とネットワークノードとの間の無線通信における無線ネットワークの性能評価を支援するように配置される。ネットワークノードは、無線通信における無線リソースの利用に関する統計的な情報を回収するように構成される処理ユニットを備え、ここで、統計的な情報は、無線通信における特定のセルの中の無線リソースのセカンダリセル使用を表示する。ネットワークノードはまた、無線ネットワークをサービングするＯ＆Ｍノードに統計的な情報を報告するように構成される通信回路を備え、それによって、Ｏ＆Ｍノードが、無線ネットワークの測定された性能がどのようにセカンダリセル使用に関連するかを評価するために統計的な情報を使用することを可能にする。
【００１３】
別の側面にしたがって、無線装置と無線ネットワークのネットワークノードとの間の無線通信における無線ネットワークの性能評価を支援するための方法が、無線ネットワークをサービングするＯ＆Ｍノードの中に提供される。ネットワークノードは、対応する複数のセルの中で使用される複数のキャリアを有するキャリアアグリゲーションを採用する。この方法において、Ｏ＆Ｍノードは、無線ネットワークの測定された性能を取得し、かつそれはまた、無線通信における無線リソースの利用に関する統計的な情報をネットワークノードから受信する。統計的な情報は、無線通信における特定のセルの中の無線リソースのセカンダリセル使用を表示し、それは、受信された統計的な情報の中で明示的に又は黙示的に示され得る。Ｏ＆Ｍノードはさらに、無線ネットワークの測定された性能がどのようにセカンダリセル使用に関連するかの評価を実行するために、統計的な情報を使用する。その後、Ｏ＆Ｍノードは、この評価に基づいてネットワークノードに対して無線リソースを構成することができる。
【００１４】
さらに別の側面にしたがって、Ｏ＆Ｍノードは、無線ネットワークをサービングするために、かつ無線装置と無線ネットワークのネットワークノードとの間の無線通信における無線ネットワークの性能を評価するために配置される。ネットワークノードは、対応する複数のセルの中で使用される複数のキャリアを有するキャリアアグリゲーションを採用することが想定される。
【００１５】
Ｏ＆Ｍノードは、無線ネットワークの測定された性能を取得するように配置される取得ユニットを備える。Ｏ＆Ｍノードはまた、無線通信における無線リソースの利用に関する統計的な情報をネットワークノードから受信するように配置される通信回路を備え、ここで、統計的な情報は、無線通信における特定のセルの中の無線リソースのセカンダリセル使用を表示する。Ｏ＆Ｍノードはさらに、無線ネットワークの測定された性能がどのようにセカンダリセル使用に関連するかの評価を実行するために統計的な情報を使用するように配置される論理ユニット、及びその評価に基づいてネットワークノードに対して無線リソースを構成する構成ユニットを備える。
【００１６】
上述の方法及びノードは、以下に説明される、さらなるフィーチャ及び利益を達成するために、種々の随意の実施形態にしたがって、構成かつ実施され得る。
【００１７】
解決法は、今や、例示的な実施形態の手段によって、かつ添付の図面を参照しながらより詳細に説明される。
【図面の簡単な説明】
【００１８】
【図１】図１は、本明細書の中で説明される実施形態が使用され得る、ネットワーク管理のためのアーキテクチャを示している通信シナリオである。
【図２】図２は、無線装置を用いる無線通信におけるキャリアアグリゲーションを使用するネットワークノードの概略図であり、本明細書の中において説明されるいくつかの実施形態はネットワークノードの中で使用され得る。
【図３】図３は、いくつかの可能な実施形態による、ネットワークノードの中の手順を示すフローチャートである。
【図４】図４は、さらなる可能な実施形態による、解決法がネットワークノード及びＯ＆Ｍノードの中で採用される場合の、動作及び信号の流れの実施例を示す通信シナリオである。
【図５】図５は、本明細書の中において説明されるいくつかの実施形態がネットワークノードの中で採用される場合の、無線装置に対してキャリアアグリゲーションを使用するネットワークノードを通るデータの流れの概略図である。
【図６】図６は、さらなる可能な実施形態による、より詳細にネットワークノードを示すブロック図である。
【図７】図７は、さらなる可能な実施形態による、Ｏ＆Ｍノードの中の手順を示すフローチャートである。
【図８】図８は、さらなる可能な実施形態による、より詳細にＯ＆Ｍノードを示すブロック図である。
【発明を実施するための形態】
【００１９】
短く説明されたように、キャリアアグリゲーションが採用される場合の無線ネットワークの性能の関連しかつ信頼できる評価を取得し、かつ特に、キャリアアグリゲーションの中のセカンダリセル、Ｓセル、トラフィックに対する無線リソースの利用がどのように、ネットワークノードと通信する無線装置に対する性能に影響を与えるかを評価するために、基本的に使用され得る解決法が、ネットワークノード及びＯ＆Ｍノードの中に提供される。その後、例えば、ネットワークノードの中のキャリアアグリゲーションの使用が、ネットワークの中の性能を改良するためにどのように効率的であるかを評価することが可能であり、かつこの知識は、今度は、ネットワークノードに対して無線リソースを構成するために、Ｏ＆Ｍノードによって利用され得る。
【００２０】
キャリアアグリゲーションにおいて、基地局又は等価物などのネットワークノードは、無線信号を２以上の種々のキャリアにわたって同時に無線装置に通信することができ、それは時々、構成要素キャリア、ＣＣ、として言及され、無線装置をサービングする複数のセルに対応し、それは図２の中の実施例によって示されている。この実施例において、ネットワークノード２００は、今度は３つの対応するセルの中の受信範囲を提供する３つの種々のキャリアＣＣ１、ＣＣ２、及びＣＣ３にわたる無線装置２０２に、ダウンリンク信号を送信する。図２に示される、３つのキャリアを有する構成及び対応するセルが、単なる例示目的の実施例であり、かつ任意の数のキャリア及びセルがキャリアアグリゲーションに対して採用されることに留意されるべきである。
【００２１】
キャリアＣＣ１、ＣＣ２、及びＣＣ３を有する無線装置２０２をサービングする場合、セルのうちの１つは、プライマリセル、Ｐセル、として働くように指定され、本実施例においては、キャリアＣＣ１によってＰセル１がサービングされる。他の２つのセルは、セカンダリセル、Ｓセル、として働くように指定され、本実施例においては、キャリアＣＣ２及びＣＣ３によってＳセル２及びＳセル３がそれぞれサービングされる。この技術分野において、Ｐセルは、データ及び制御信号の両方がＰセルにわたり送信され得るように、無線装置をサービングする「主要な」セルとして定義され、一方、Ｓセルは、データだけを送信するために典型的に使用される補助的なセルとして定義され、それ故、Ｓセルは、より大きなデータスループットを可能にするために余剰の帯域幅を追加する。
【００２２】
上述したことは、ダウンリンク及びアップリンクの両方に対して適用可能である。さらに、Ｐセル及び１以上のＳセルの指定は、特定のキャリアが１つの無線装置に対してＰセルの中で使用され得、かつ別の無線装置に対してＳセルの中で使用され得るように、装置ごとに行われる。例えば、図２の中において、キャリアＣＣ１は、Ｐセルの中の装置２０２をサービングするために使用され、同時に図示されぬＳセルの中の別の装置をサービングするために使用されることができる。同様に、キャリアＣＣ２又はＣＣ３は、Ｓセルの中の装置２０２をサービングするために使用され、同時に図示されぬＰセルの中の別の装置をサービングするために使用されることができる。
【００２３】
それ故、キャリアアグリゲーションは、より広い伝送帯域幅をサポートするために、無線装置との無線通信において使用され得る。無線装置は、それが同時に複数のキャリア上で受信及び／又は送信することができるように、キャリアアグリゲーションに対して受信及び／又は送信能力を有していなければならず、それは、スリージーピーピー、３ＧＰＰ、Ｒｅｌ‐１０又はそれ以後にしたがって構成される装置に対する場合である。このやり方において、ネットワークノードは、図２の中において示されるように、基本的に同じ受信範囲領域を有するいくつかのセルにおける無線装置をサービングすることができ、又は種々のキャリア周波数において種々の受信範囲領域を有している。さらに、無線装置がダウンリンクよりもむしろアップリンクにおいて異なる数のキャリアをアグリゲートするように構成することが可能であり、未だ、同じネットワークノードから由来し、それ故、アップリング及びダウンリンクの中の種々の帯域幅を可能にする。無線装置に対して構成され得るダウンリンクキャリアの最大数は、装置の及びネットワークノードのダウンリンクアグリゲーション能力に応じる。同様に、構成され得るアップリンクキャリアの最大数は、装置の及びネットワークノードのアップリンクアグリゲーション能力に応じる。
【００２４】
この解決法において、キャリアアグリゲーションが採用される場合に、特定のセルの中で、全リソース利用に関するＳセルトラフィック、又はＳセルリソース利用、及び／又はＰセルリソース利用に対する無線リソースの利用に関する無線ネットワークの測定された性能を評価することが有益であることが、理解されてきた。上で説明されたように、特定のキャリアによってサービングされるセルは、いくつかの装置に対するＰセルとして働くことができ、かつそれは他のものに対するＳセルとしても同様である。それによって、各々の特定のセルの中の無線リソースのＳセル使用の量によって示唆されるように、キャリアアグリゲーションが性能を改良するために効率的であったか否かを理解することが可能である。ネットワーク性能を測定するための従来の手順及び無線リソースの利用が、決定されたリソースの利用と測定されたネットワーク性能との間のミスマッチのために、関連しかつ信頼できる性能評価を取得するために、非常に有用ではないことがまた、理解されてきており、それは以下により詳細に説明される。
【００２５】
無線ネットワーク管理は、部分的にはネットワーク装備の性能の理解に基づいている。例えば、ネットワーク装備の何らかの部分が負荷過剰の兆候を示す場合、その後、そのような課題は、短期的にはトラフィックをネットワーク装備の他の部分へ押し付けることによって、かつ長期的にはキャリアアグリゲーションなどの付加的なリソース及び無線ネットワークフィーチャを展開することによってネットワークを進化させることによって、克服することができる。そのようなメカニズムにおいて、ネットワークノード、及びネットワークノードによってサービングされるセルの負荷及び性能の理解を有することが有用であり得る。
【００２６】
この文脈において有用な性能インジケータは、セル又はネットワークノードの中の、典型的には所与の期間、又は時間窓にわたる、データスループットであるが、他の性能インジケータもまた使用可能である。実際には、データスループットは、ネットワークノードの中のインターネットプロトコル、ＩＰ、レベルにおいて有益に決定され又は測定され、それは、それがサービスに対して有用なデータであるアプリケーション層データを運んでいるからである。Ｅ‐ＵＴＲＡＮの無線アクセス技術を例示することにおいて、データスループットは、パケットデータコントロールプロトコル、ＰＤＣＰ、層において測定されることができ、かつＩＰデータスループットは、他の無線アクセス技術における同様なやり方において決定されることができる。
【００２７】
別の性能に関するインジケータは、無線リソースの利用に関連し、すなわち、どの程度まで利用可能な無線リソースが、セルの中の又はネットワークノードの中の通信及び／又は受信に対して使用されるかということである。Ｅ‐ＵＴＲＡＮにおいて、これは、セルの中の利用可能なＰＲＢｓの全ての量に関する、使用された物理リソースブロック、ＰＲＢｓ、の割合又はパーセンテージとして測定され得る。
【００２８】
これらの２つの測定可能な測定基準又はインジケータの両方は、「オブザーバブル」として言及され、性能及びリソース利用についての情報を提供することができる。別の可能性は、無線リソースの利用、すなわち、測定された無線リソースごとのスループットによってスループットを分割することにより、スペクトル効率の大まかな評価を可能にすることである。これは、サービングされている無線装置に対するデータの配送において、セル又は基地局がどのように効率的であるかを評価するために使用されることができる。高いスペクトル効率を有するセルは、データを配送することにおいて上出来であると考えることができ、一方、低いスペクトル効率を有するセルは、セル又はネットワークノードに関して何かが悪いのか、及びこの欠点はどのようにして緩和され得るのかを発見するために、さらに解析される必要があるセルとして識別され得る。
【００２９】
キャリアアグリゲーションなどの新しい無線ネットワークフィーチャを導入する場合、ネットワークオペレーターにとって、例えば、スループットが改良されているか、スペクトラム効率が増加しているか、又は無線リソースの利用がどのようにして１つのやり方において若しくは他のやり方において変化するかなどの、新しいフィーチャの影響及び利益をモニターすることができることは有用である。例えば、新しい無線ネットワークフィーチャは、ネットワークの一部分において展開され、かつその後、結果としてもたらされる利益が評価される。この評価は、オペレーターが、どのセル又はネットワークノードが先ず、フィーチャを用いてアップグレードされるかをより良く理解することを可能にする。評価はまた、すなわちフィーチャが企図された改良を提供するか否かなどの、新しいフィーチャの評価として見られることができる。
【００３０】
キャリアアグリゲーションが導入される場合、それは、ネットワークノードが、上述されたように、Ｐセルとして働いている１つのセル、及びＳセルとして働いている１以上の他のセルを用いて、２以上のキャリアにおいて無線装置に対して無線リソースを割り当てることを可能にする。それによって、個別の無線装置のピークスループットは増加し、それは、それらが複数のセルの種々のキャリアの中の割り当てられた無線リソースであり得、かつそれ故、より大きな帯域幅を取得することができるからである。しかしながら、ＰＤＰＣは、特定の無線装置に対して使用される全ての割り当てられるキャリアに共通のものであり、かつＰＤＰＣスループットは、従来、それぞれの無線装置に向かってＰセルとして働くセルに対してのみ関連する。結果として、装置に対するネットワークノードの中で測定された全てのデータスループットは、Ｐセルに由来するものであるから、Ｓセルは、この特定の無線装置に対してゼロスループットを有するようであり、一方、測定されたリソースの利用は、従来の手順にしたがって個別にＰセル及びＳセルに由来する。それ故、キャリアアグリゲーションが採用される場合、測定されたスループットと測定されたリソースの利用との間にミスマッチが存在する。
【００３１】
性能及び無線リソースの利用を測定する手順を変化させることなく、キャリアアグリゲーションを導入することは、それ故、オペレーターによる、混乱及び潜在的に不正確又は不適切な構成決定をもたらす。１つの理由は、キャリアアグリゲーションにおいて、スループット及び無線リソースの利用の両方は、特定のセル、すなわちＰセル又はＳセルに対する典型例ではないことである。例えば、ネットワークノードによってサービングされる２つのセル、及び１つのセルが全てのサービングされている無線装置に向かってＳセルとしてのみ働き、かつ他のセルは装置に向かってＰセルとして働く場合を考えてみよう。従来の手順において、これは、両方のセルが無線リソースの利用を報告することを意味するが、それらの１つのみがそれ故Ｐセルに由来するＩＰレベルにおいてデータスループットを報告する。結果として、Ｐセルはそれ故、非常に効率的であると考えられ、一方、Ｓセルは、かなり非効率なようであり、かつ潜在的に不調なセルとしてさえ指定され得る。キャリアアグリゲーションの導入ために、観察能力は、歪められかつ誤解を招くものとなった。
【００３２】
この解決法において、ネットワークノードからの各々のセルに対するモニタリングの新しい手順が導入され、その結果として、無線リソースの利用をスループットにより正確にマッチングさせることが可能となる。それによって、どの程度まで特定のセルの中の無線リソースが実際、他のセルに由来するＩＰスループットを提供するために有用であるかを、理解することが可能となる。従来の手順において、全ての無線リソースの利用のみが各々のネットワークノードから報告される。本明細書の中において説明される実施形態において、ネットワークノードは付加的に、セルがＳセルとして働く場合、すなわちＳセルのトラフィックを提供する場合に、利用された無線リソースの量を報告する。これを取得するために有用な実施形態のうちのいくつかの実施例が、以下に説明される。
【００３３】
ネットワークノードが、どのようにして、いくつかの可能な実施形態にしたがって、無線装置とネットワークノードとの間の無線通信における無線ネットワークの性能評価を支援するように作動し得るかの実施例は、今や、図３の中におけるフローチャートに関連して説明される。ネットワークノードは、対応する複数のセルの中で使用される複数のキャリアを有するキャリアアグリゲーションを採用することが想定される。ネットワークノードによってサービングされるセルは、事実上オーバーラップする受信範囲領域又は種々の受信範囲領域を有し得、かつ解決法はこの点に関して限定されない。上述されたように、複数のキャリアの各々は、Ｐセルトラフィック及び／又はＳセルトラフィックに対して使用され得る。ネットワークノードが、図１の中において示されるように、類似の配置に対応し得るＯ＆Ｍノードに接続され、かつＯ＆Ｍノードによって管理されることはまた想定される。ネットワークノードは、無線装置と無線通信することができる基地局又は他の類似のノードであり得る。図３の中の手順は、いくつかの可能な実施例の中で以下に詳細に概説される、ネットワークノードの中の様々な機能的ユニット又はエンティティーによって実装され得る。
【００３４】
最初の動作３００は、ネットワークノードが、無線通信における無線リソースの利用に関する統計的な情報を回収し、ここで、統計的な情報は、無線通信における特定のセルの中の無線リソースのセカンダリセル使用を表示することを示している。言い換えると、統計的な情報は、そのセルの中のＳセルトラフィックに対して利用される無線リソースの量を示し、すなわち、Ｓセルとして働く場合にそのセルの中で全トラフィックのうちのどれだけが生じるかを示している。
【００３５】
種々の可能な実施形態において、回収された統計的な情報は、利用可能な無線リソースの全体の量からＳセルトラフィックに対して利用される無線リソースの量を示し得、それは、Ｓセルトラフィックに対するリソース利用の明示的な表示であり、又はそれは、利用可能な無線リソースの全体の量からＰセルトラフィックに対して利用される無線リソースの量を示し得、それは、Ｓセルトラフィックに対するリソース利用の黙示的な表示であり、それは、全体のリソース量マイナスＰセルリソース量は、Ｓセルトラフィックに対して利用されるリソース量であると推定されるからである。回収された統計的な情報は、利用可能な無線リソースの全体の量に関するＳセルトラフィックに対して利用される無線リソースのパーセンテージを示し、又はＳセルトラフィックに対して利用される無線リソースの量とＰセルトラフィックに対して利用される無線リソースの量との比率を示すことがまた可能である。それ故、任意の上述の代替は、明示的又は黙示的に、特定のセルの中の無線リソースのセカンダリセル使用を示すために使用されることができるが、解決法はこれらの実施例に限定されない。
【００３６】
別の可能な実施形態において、キャリアアグリゲーションに関する統計的な情報は、種々のクオリティ・オブ・サービス（ＱｏＳ）・クラスに対して個別に無線リソースの利用を表示し得る。例えば、それは、媒体アクセス制御、ＭＡＣ、プロトコル層の上のＱｏＳクラスごとのＰＲＢの使用を計算するための手順として知られ、それは、さらに以下に説明される。さらに別の可能な実施形態において、ネットワークノードは、アップリンク通信及びダウンリンク通信のそれぞれに対して統計的な情報を回収し得、すなわち、アップリンク及びダウンリンクのそれぞれの上のセルの中の無線リソースのセカンダリセル使用を表示する。さらに、ネットワークノードは、ネットワークノードと関連するスケジューリングエンティティーから統計的な情報を回収し得、ここで、スケジューリングエンティティーは、ネットワークノード、又はネットワークノードに対する及びネットワークノードからの無線通信を制御する別のノードの中で実装され得る。
【００３７】
さらなる可能な実施形態において、ネットワークノードは、長い期間にわたってＳセルトラフィックに対して利用される無線リソースの量又はパーセンテージの、平均値、中央値、最大値、最小値、及び標準偏差のうちの少なくとも１つを決定することによって、長い期間にわたる統計的な情報をアグリゲートし得る。
【００３８】
図３に戻ると、次の動作３０２は、ネットワークノードが、無線ネットワークをサービングするＯ＆Ｍノードに統計的な情報を報告することを示している。それによって、Ｏ＆Ｍノードは、無線ネットワークの測定された性能がどのようにセカンダリセル使用に関連するかを評価するために、統計的な情報を使用することが可能になり、それは、別の動作３０４によって示される。特に、Ｏ＆Ｍノードは、特定のセルにおける無線リソースのセカンダリセル使用がどのように効率的であるか、及びそれがどのように測定された性能に影響するかを決定することができる。
【００３９】
統計的な情報をネットワークノードから受信する場合に、Ｏ＆Ｍノードがどのようにして、この文脈における無線ネットワークの性能を評価するために作動するかは、以下により詳細に説明される。無線ネットワークの性能は、種々のやり方において測定され得る。スループットが、この文脈において使用され得る測定可能な性能測定基準の１つの実施例であることは、上述された。ネットワークノードから取得され得る測定値の他の有用な実施例は、以下のものを含む：
‐  ＰＤＣＰのプロトコル層における平均ダウンリンクセルビットレート、ここで、ＰＤＣＰビットレートは、全ての無線装置に対する平均であり得、おそらくＱｏＳクラスインジケータによって、かつまた特定の時間窓にわたって群化される。
‐  平均アップリンクセルＰＤＣＰビットレート、ここで、ＰＤＣＰビットレートは、全ての無線装置に対する平均であり得、おそらくＱｏＳクラスインジケータによって、かつまた特定の時間窓にわたって群化される。
‐  平均アップリンク及び／又はダウンリンクＰＤＣＰ遅延。
‐  平均アップリンク及び／又はダウンリンクＰＤＣＰ下降速度。
‐  ＩＰパケットレイテンシ。
‐  ダウンリンク及び／又はアップリンクの中のＩＰパケットスループット。
【００４０】
図３の中における上述の手順はまた、無線ネットワークのネットワークノード４００及びＯ＆Ｍノード４０４を含む種々の動作及び信号流れを示す図４の中のシナリオを例示することによって示され、それは解決法を実際に実施する場合に使用され得る。ネットワークノード４００は、上述されたやり方において、種々の無線装置４０２に対してＰセル及び／又はＳセルとして働き得る、対応する複数のセル１、２、及び３の中で使用される複数のキャリアを有するキャリアアグリゲーションを採用する。
【００４１】
最初の動作４：１は、ネットワークノード４００がＳセルトラフィックに対するリソースの使用を表示する統計的な情報を回収することを概略的に示しており、それは、明示的又は黙示的に表示され得る。そのような統計的な情報がより詳細に何を表示し得るかの実施例が、上述されてきた。同時に、事実上、ネットワークノード４００はまた、別の動作４：２によって示されるように、無線ネットワークの性能の測定値を、実行し又はさもなければ取得する。これらの性能の測定値は、別の動作４：３において、ネットワークノード４００からＯ＆Ｍノード４０４に対して報告される。
【００４２】
ネットワークノード４００はさらに、動作４：４によって示されるように、回収された統計的な情報をアグリゲートする。統計的な情報がどのようにアグリゲートされるかの実施例がまた、上述されてきた。動作４：５は、ネットワークノード４００が、統計的な情報をＯ＆Ｍノード４０４に報告することを示している。統計的な情報を回収し、かつそれをＯ＆Ｍノード４０４に報告する、動作４：１、４：４、及び４：５は、事実上連続ベースで実行され得ることが注意されるべきである。同様にして、無線ネットワークの性能を測定し、かつその測定値をＯ＆Ｍノード４０４へ報告する動作４：２及び４：３は、事実上同様に連続ベースで実行され得、かつまた動作４：１、４：４、及び４：５と並行である。それ故、動作４：１‐４：５は、任意の適切な順序で、及び／又は事実上連続的に実行され得る。
【００４３】
別の動作４：６は、Ｏ＆Ｍノード４０４が、無線ネットワークの測定された性能がどのようにセカンダリセル使用に関連するかの評価を実行するために、統計的な情報を使用することを表示している。例えば、Ｏ＆Ｍノード４０４は、その評価に基づいて、ネットワークノードによってサービングされる個別のセルにおけるＰセルトラフィック及び／又はＳセルトラフィックに対して無線リソースを構成し得る。最後に示される動作４：７は、Ｏ＆Ｍノード４０４がネットワークノード４００の中にそのような無線リソースを構成し得ることを表示している。
【００４４】
図５は、無線通信においてＰセル及びＳセルの上の無線装置５０２に無線信号を送信するために使用される、２つの異なるキャリアＣＣ１及びＣＣ２を含むようにキャリアアグリゲーションが採用され場合、無線ネットワークのネットワークノード５００を通るデータの流れの実施例を示している。この実施例において、出て行くデータパケット５０４は、無線通信の中の装置５０２に対して送信されるネットワークノード５００に到着する。到着するデータパケット５０４は、先ず、ＩＰ層においてネットワークノード５００の中で処理され、かつその後ＰＤＣＰ層において処理される。ＰＤＣＰ層において、データスループットは、測定されて、かつここでは図示されぬＯ＆Ｍノードに対して報告され、それは無線ネットワークの性能のインジケータとしてであり、破線の双方向矢印によって概略的に表示され、それは、ネットワークの性能をモニタリングするための実際の手順として知られる。
【００４５】
通常の手順にしたがって、ネットワークノード５００を通って伝播するパケットはさらに、無線リンク制御、ＲＬＣ、プロトコル層において処理され、かつその後、ＭＡＣプロトコル層において処理される。ＰＤＣＰ層におけるパケット５０４は、従来のやり方で、ＭＡＣプロトコル層においていくつかのより小さいパケットの中へ分割され、かつＭＡＣ層における各々のパケットは、ＰＤＣＰ層のいくつかのパケットの部分を備え得、それは、ＰＤＣＰにおける個別のパケットに対するＭＡＣにおけるリソースの利用を追跡することを困難にし、またはさらに不可能にする。ＭＡＣプロトコル層において、パケットの中のデータは、それ故、キャリアＣＣ１及びＣＣ２のそれぞれを使用する物理、ＰＨＹ、層を横断する送信のための無線リソース上にデータがスケジューリングされる前に、２つの異なるバッファー５０６ａ及び５０６ｂの中に入れられるデータのより小さい塊の中へ分割される。上述されたことと同様に、キャリアＣＣ１及びＣＣ２は、各々の無線装置との無線通信においてＰセル又はＳセルとして働き得る、対応するセルの中の無線装置をサービングするために使用される。バッファー５０６ａ、５０６ｂからのデータは、それ故、個別の連続的なＰＲＢｓの中に送信され得、かつ一連のＰＲＢｓ５０８ａは、ＰＲＢｓ５０８ｂの別のシリーズがキャリアＣＣ２の上で送信されるように示される一方で、キャリアＣＣ１の上で送信されるように示され、その両方は装置５０２によって受信される。
【００４６】
ＭＡＣ層又は物理層において、装置に対するＳセルトラフィックに対して現在使用されている、キャリアＣＣ２の上でスケジューリングされる無線リソースの量が、測定され、アグリゲートされ、かつ統計的な情報として図示されぬＯ＆Ｍノードに報告され、破線の一方向の矢印によって概略的に示されているように、キャリアＣＣ２に対応するセルの中の無線リソースのセカンダリセル使用のインジケータを提供する。キャリアＣＣ２の上でスケジューリングされる無線リソースの量は、上述された任意の代替にしたがって、測定され得、かつ明示的に又は黙示的に表示され得る。それによって、Ｏ＆Ｍノードは、この場合において、無線ネットワーク、データスループットの測定された性能がどのように、報告された統計的な情報によって表示されるセカンダリセル使用に関連するかを、評価することが可能になる。
【００４７】
無線ネットワークのネットワークノードが、どのようにいくつかの可能な機能ユニットと共に構造化されて、ネットワークの上述の作動をもたらし得るかの、詳細であるが非限定的な実施例は、図６の中におけるブロック図によって示されている。この図において、ネットワークノード６００は、無線装置６０２とネットワークノードとの間の無線通信における無線ネットワークの性能評価を支援するために配置される。再び、ネットワークノード６００は、対応する複数のセルの中で使用される複数のキャリアを有するキャリアアグリゲーションを採用することが想定される。ネットワークノード６００は、上述されたようなかつ以下のような解決法を採用する任意の実施例及び実施形態にしたがって、作動するように構成され得る。
【００４８】
ネットワークノード６００は、従来のやり方で行われ得る無線装置６０２との無線通信を行うための、適切な無線回路６００ａを備える。ネットワークノード６００はまた、例えば、動作３００に対して上述されたような、無線通信における無線リソースの利用に関する統計的な情報を回収するように構成される、処理ユニット６００ｂを備える。回収された統計的な情報は、無線通信における特定のセルの中の無線リソースのセカンダリセル使用を表示する。
【００４９】
実際の実装において、処理ユニット６００ｂは、無線回路６００ａへ及びからの信号を処理するためのベースバンド、ＢＢ、処理のためのユニット６００ｃ、並びに無線ネットワークをサービングするＯ＆Ｍノード６０４にそれが報告される前に、統計的な情報を処理しかつ準備するために使用され得るＯ＆Ｍ処理のためのユニット６００ｄを含む。処理ユニット６００ｂは、ネットワークノードと関連するスケジューリングエンティティー６００ｇからの統計的な情報を回収し得、かつ統計的な情報はさらに、ＢＢ処理ユニット６００ｃ及びＯ＆Ｍ処理ユニット６００ｄに接続されるメモリ６００ｆの中に収集され得る。
【００５０】
ネットワークノード６００はまた、Ｏ＆Ｍノード６０４に統計的な情報を報告するように構成される通信回路６００ｅを備え、それによって、Ｏ＆Ｍノードが、無線ネットワークの測定された性能がどのようにセカンダリセル使用に関連するかを評価するために統計的な情報を使用することを可能にする。Ｏ＆Ｍノード６０４がどのように作動し得るかのより詳細な説明は、図７及び図８を参照して以下に与えられるだろう。
【００５１】
上述のネットワークノード６００及びその機能的なユニットは、様々な作動する実施形態にしたがって、作動するように構成され又は配置され得る。可能な実施形態において、処理ユニット６００ｂは、アップリンク通信及びダウンリンク通信のそれぞれに対する統計的な情報を回収するように構成され得る。処理ユニット６００ｂはまた、長い期間にわたってＳセルトラフィックに対して利用される無線リソースの量又はパーセンテージの、平均値、中央値、最大値、最小値、及び標準偏差のうちの少なくとも１つを決定することによって、長い期間にわたる統計的な情報をアグリゲートするように構成され得る。スケジューリングエンティティー６００ｇは、示されるネットワークノード６００の中において、又は図示せぬ、ネットワークノードへの及びネットワークノードからの無線通信を制御する、別のノードにおいて実装され得る。ネットワークノードは、基地局であるか又は同様なものであり得る。
【００５２】
図６が、ネットワークノード６００の中のいくつかの可能な機能的ユニットを示し、かつ当業者が、適切なソフトウェア及びハードウェアを使用して実際にこれらの機能的ユニットを実装し得ることは、注意されるべきである。それ故、解決法は、概して、ネットワークノード６００の示された構造に限定されるものではなく、かつ機能的ユニット６００ａ‐ｇは、適切なところではどこでも、本開示の中で説明される任意のフィーチャにしたがって作動するように構成され得る。
【００５３】
本明細書の中において説明される実施形態及びフィーチャは、ネットワークノードの上で実行される場合に、ネットワークノードが例えば図３から図５に対して説明されたような上述の動作を実行する原因となる、コンピュータ可読コードを備える、コンピュータプログラムの中に実装され得る。さらに、上述の実施形態は、コンピュータプログラムが記憶される、コンピュータ可読媒体を備える、コンピュータプログラム製品の中に実装され得る。コンピュータプログラム製品は、コンパクトディスク、又はコンピュータプログラムを保持するために適切な他のキャリアであり得る。コンピュータプログラムは、第１の無線ノードの上で実行される場合、ネットワークノード６００が上述の動作を実行する原因となる、コンピュータ可読コードを備える。コンピュータプログラム及びコンピュータプログラム製品がどのように実現され得るかのいくつかの実施例は、以下に概説される。
【００５４】
図６に対して上述された機能的ユニット６００ａ‐ｇは、プロセッサ「Ｐ」によって実行される場合に、ネットワークノード６００が上述の動作及び手順を実行する原因となる、コード手段を備えるそれぞれのコンピュータプログラムのプログラムモジュールによって、ネットワークノード６００の中で実装され得る。プロセッサＰは、単一の中央処理ユニット（ＣＰＵ）を備え得、又は２以上の処理ユニットを備えることができる。例えば、プロセッサＰは、汎用マイクロプロセッサ、指示命令設定プロセッサ、及び／又は関連チップ設定、及び／又は特定用途向け集積回路（ＡＳＩＣ）などの特殊用途マイクロプロセッサを含み得る。プロセッサＰはまた、キャッシング目的の記憶装置を備え得る。
【００５５】
各々のコンピュータプログラムは、コンピュータ可読媒体を有し、かつプロセッサＰに接続される、メモリ「Ｍ」の形におけるネットワークノード６００の中のコンピュータプログラム製品によって運ばれ得る。それ故、コンピュータプログラム製品又はメモリＭは、その上にコンピュータプログラムが、例えばコンピュータプログラムモジュール「ｍ」の形において記憶される、コンピュータ可読媒体を備える。例えば、メモリＭは、フラッシュメモリ、ランダムアクセスメモリ（ＲＡＭ）、リードオンリーメモリ（ＲＯＭ）、又は電気的消去可能ＲＯＭ（ＥＥＰＲＯＭ）であり得、かつプログラムモジュールｍは、代替的な実施形態において、ネットワークノード６００の範囲内において、メモリの形における種々のコンピュータプログラム製品に分散される。
【００５６】
図７のフローチャートを参照して、上述した実施形態のうちの１以上にしたがって、解決法がネットワークノードの中で使用される場合、Ｏ＆Ｍノードがどのように作動し得るかということが説明される。この実施例において、Ｏ＆Ｍノードは無線ネットワークをサービングし、かつ図７は、無線装置と無線ネットワークのネットワークノードとの間の無線通信における無線ネットワークの性能を評価するために、Ｏ＆Ｍノードによって実行される手順を示している。ネットワークノードは、対応する複数のセルの中で使用される複数のキャリアを有するキャリアアグリゲーションを採用することが想定される。
【００５７】
第１の動作７００は、Ｏ＆Ｍノードが、例えば、無線ネットワークのネットワークノード及び／又は他の部分から、無線ネットワークの測定された性能を取得することを示している。無線ネットワークの性能がどのように測定され得るかのいくつかの実施例が、上述されてきた。その後、Ｏ＆Ｍノードは、さらなる動作７０２において、無線通信における無線リソースの利用に関してネットワークノードから報告される統計的な情報を受信し、それは、図３の中のネットワークノードによって実行される上述の動作３０２に基本的に対応する。それ故、報告されかつ受信された統計的な情報は、無線通信における特定のセルの中の無線リソースのセカンダリセル使用を表示する。
【００５８】
別の作動７０４において、Ｏ＆Ｍノードは、無線ネットワークの測定された性能が、どのようにセカンダリセル使用に関連するかの評価を実行するために、統計的な情報を使用し、それは基本的に動作３０４に対応する。特に、Ｏ＆Ｍノードは、キャリアアグリゲーションにおけるセカンダリセル使用が、ネットワーク性能を改良するために上出来であったか否かについての知識を取得することができ、それは、この使用が、報告された統計的な情報によって、無線ネットワークの測定された性能と相互に関連付けられるからである。動作７０６は、最後に、Ｏ＆Ｍノードが、動作７０４において行われる評価に基づいて、ネットワークノードに対して無線リソースを構成することを示している。例えば、評価が、特定のセルの中のセカンダリセル使用がネットワーク性能を改良するために上出来であった場合、Ｏ＆Ｍノードは、そのセルの中のセカンダリセル使用が上出来であったことが証明されるので、次の無線通信のためにネットワークノードのそのセルの中のＳセルトラフィックに対して無線リソースを構成し得る。
【００５９】
Ｏ＆Ｍノードが、どのように、Ｏ＆Ｍノードの上述の作動をもたらす、いくつかの可能な機能ユニットと共に構造化されるかの、詳細であるが非限定的な実施例は、図８の中におけるブロック図によって示されている。この図において、Ｏ＆Ｍノード８００は、無線ネットワーク８０２をサービングするために、かつ無線装置と無線ネットワークのネットワークノード８０２ａとの間の無線通信における、無線ネットワークの性能を評価するために配置される。再び、ネットワークノード８０２ａが、例えば、図３及び図４に対して上述されたように、対応する複数のセルの中で使用される複数のキャリアを有する、キャリアアグリゲーションを採用することが、想定される。Ｏ＆Ｍノード８００は、上述されたようなかつ以下のような解決法を採用する任意の実施例及び実施形態にしたがって、作動するように構成され得る。
【００６０】
Ｏ＆Ｍノード８００は、無線ネットワーク８０２の測定された性能「Ｐ」を取得するように配置される取得ユニット８００ａを備え、それは、無線ネットワーク８０２の中の１以上のネットワークノードによって行われる様々な測定によって取得され得る。Ｏ＆Ｍノード８００はさらに、無線通信における無線リソースの利用に関して、ネットワークノード８０２ａから統計的な情報「ＳＩ」を受信するように配置される、通信回路８００ｂを備える。統計的な情報は、無線通信における複数のセルのうちの特定のセルの中の無線リソースのセカンダリセル使用を表示する。実際に、取得ユニット８００ａの中の、及び通信回路８００ｂの中の上述した機能性は、ノード８０２ａなどのネットワークノードとの通信に対して適合される、一般的なユニット又は回路の中で実装され得る。
【００６１】
Ｏ＆Ｍノード８００はまた、無線ネットワークの測定された性能Ｐがどのようにセカンダリセル使用に関連するかの評価を実行するために、統計的な情報ＳＩを使用するように配置される、論理ユニット８００ｃを備える。最後に、Ｏ＆Ｍノード８００はさらに、実行された評価に基づいて、ネットワークノード８０２ａに対して、無線リソース「ＲＲ」を構成するように配置される、構成ユニット８００ｄを備える。
【００６２】
統計的な情報が、種々のＱｏＳクラスに対する個別の無線リソースの利用を表示し得、かつＭＡＣプロトコル層の上のＱｏＳクラスごとのＰＲＢ使用を計算するための手順が知られていることは上述された。この計算手順は、以下の表１から表５の中で概説され、それは、本明細書の中において説明される解決法が実施される場合に使用され得る。以下、Ｌ１は層１を示し、ＱＣＩはＱｏＳクラスインジケータを示し、ＴＴＩは伝送時間間隔を示し、かつｅＮＢはネットワークノードを示す。
0006009680.tif 000002
0006009680.tif 000003
0006009680.tif 000004
0006009680.tif 000005
0006009680.tif 000006
【００６３】
上述の統計的な情報の中で表示される無線リソースの利用は、Ｓセルトラフィック使用及び全てのトラフィック使用の両方に関して、Ｏ＆Ｍによって解析され得る。それ故、本明細書の中において説明される実施形態は、Ｏ＆Ｍノードに報告されるセカンダリセル使用についての情報を導入する。無線リソースの使用はまた、サービスクラス及びＱｏＳクラスごとに分離され、かつ測定され得る。無線リソースの使用は、図３の動作３００との関連において上述されたように、絶対項において又は容量に関して、比、割合、比率、又はパーセンテージのいずれかといして表現されることができる。
【００６４】
上述の統計的な情報を回収することは、スケジューリングエンティティーからの無線リソースの使用についての情報を回収することによって、かつ情報をアグリゲートすることによって、実際に実現され得、それはまた上述された。この情報がどのように実際に表現され得るかのいくつかの有用な実施例は、以下に与えられる：
‐  ＲＰＵ．ＰｒｂＤＩＳＣｅｌｌ．ＱＣＩは、このセルの中の無線装置に対するＳセルトラフィックに対するＱＣＩごとのダウンリンクＰＲＢ使用を表している。
‐  ＲＰＵ．ＰｒｂＵＩＳＣｅｌｌ．ＱＣＩは、このセルの中の無線装置からのＳセルトラフィックに対するＱＣＩごとのアップリンクＰＲＢ使用を表している。
‐  ＲＰＵ．ＰｒｂＴｏｔＤＩＳＣｅｌは、このセルの中の無線装置に対するＳセルトラフィックに対する全てのダウンリンクＰＲＢ使用を表している。
‐  ＲＰＵ．ＰｒｂＴｏｔＵＩＳＣｅｌは、このセルの中の無線装置からのＳセルトラフィックに対する全てのアップリンクＰＲＢ使用を表している。
【００６５】
解決法が、特定の例示的な実施形態に関して説明されてきたが、その説明は、概して、発明の概念を示すことのみを企図するものであり、解決法の範囲を限定するものとして理解されるべきではない。例えば、「ネットワークノード」、「無線装置」、「Ｏ＆Ｍノード」、「Ｐセル」、「Ｓセル」、「無線リソース」、及び「統計的な情報」は、この説明を通して説明されてきたが、任意の他の対応するエンティティー、機能、及び／又はパラメータがまた本明細書の中において説明されたフィーチャ及び特性を有するものとして使用されてもよい。解決法は、添付の特許請求の範囲によって定義される。
【図１】
0006009680.tif 000007
【図２】
0006009680.tif 000008
【図３】
0006009680.tif 000009
【図４】
0006009680.tif 000010
【図５】
0006009680.tif 000011
【図６】
0006009680.tif 000012
【図７】
0006009680.tif 000013
【図８】
0006009680.tif 000014